(57)【要約】【課題】手作業に頼ることなく、下処理を必要とする布製品にカラー画像を効率良く印刷することのできる布製品の印刷システムを提案すること。【解決手段】ティーシャツの印刷システム１は、刷台４にセットしたティーシャツ６の表面の印刷領域６ａに、バルブジェット方式のスプレーノズル１１を備えた下処理用インクジェットプリンタ１０を用いて下処理剤を塗布する。次に、白インク用インクジェットプリンタ２０により印刷領域６ａに白インクを塗布した後に、カラーインクジェットプリンタ３０により印刷領域６ａにカラー画像を印刷する。下処理が必要な布製品の印刷作業を、バルブジェット方式のスプレーノズル１１を用いて下処理剤を必要な部分にのみ塗布することにより、効率良く行うことができる。【選択図】図１
2008279726.tif 000002
【特許請求の範囲】
【請求項１】
布製品の表面に下処理剤を塗布する下処理用インクジェットプリンタと、
下処理剤が塗布された布製品の表面に、カラー画像を印刷するカラーインクジェットプリンタとを有し、
前記下処理用インクジェットプリンタは、バルブジェットノズルと、このバルブジェットノズルに下処理剤を供給するコンプレッサと、バルブジェットノズルを開閉する電磁開閉弁とを備えたバルブジェット方式のインクジェットプリンタであることを特徴とする布製品の印刷システム。
【請求項２】
請求項１に記載の布製品の印刷システムにおいて、
前記布製品の表面におけるカラー画像の印刷領域を指定する印刷領域指定手段を有し、
前記下処理用インクジェットプリンタは、前記印刷領域にのみ下処理剤を塗布することを特徴とする布製品の印刷システム。
【請求項３】
請求項１または２に記載の布製品の印刷システムにおいて、
下処理剤が塗布された布製品の表面に白インクを塗布する白インク用インクジェットプリンタを有し、
前記カラーインクジェットプリンタは、白インクが塗布された布製品の表面にカラー画像を印刷することを特徴とする布製品の印刷システム。
【発明の詳細な説明】
【技術分野】
【０００１】
本発明は、ティーシャツなどの布製品にインクジェットプリンタを用いてカラー画像を直接印刷する布製品の印刷システムに関するものである。
【背景技術】
【０００２】
インクジェットプリンタを用いて各種の素材に印刷を施すことができる。例えば、下記特許文献１においては、ティーシャツに直接に印刷を施す印刷方法およびインクジェットプリンタが提案されている。ここに開示の方法では、ティーシャツよりも一回り小さなプラテンに、ティーシャツを乗せ、プラテン周囲から垂れ下がったティーシャツの部分をプラテン裏側に折り込み、この状態で、プラテンに乗っているティーシャツの部分にインクジェットヘッドにより印刷を施すようにしている。
【特許文献１】米国特許第６０９５６２８号公報
【発明の開示】
【発明が解決しようとする課題】
【０００３】
ティーシャツなどの布製品にインクジェットプリンタを用いて直接印刷を行う場合には、下処理剤を塗布し、その上に印刷を行い、しかる後に熱乾燥させる工程が一般的に採用されている。下処理剤の塗布工程では、スプレーガンを用いて手作業により下処理剤を布製品の全体に塗布している。また、地色の濃い布製品の場合には、下処理剤の塗布工程の後に白インクを塗布して白色の下地を形成し、この上にカラー画像を印刷することで、カラー再現性を確保している。
【０００４】
本発明の課題は、手作業に頼ることなく、下処理が必要な布製品にカラー画像を効率良く印刷することのできる布製品の印刷システムを提案することにある。
【課題を解決するための手段】
【０００５】
上記の課題を解決するために、本発明の布製品の印刷システムは、
布製品の印刷表面に下処理剤を塗布する下処理用インクジェットプリンタと、
下処理剤が塗布された布製品の印刷表面領域に、カラー画像を印刷するカラーインクジェットプリンタとを有し、
前記下処理用インクジェットプリンタは、バルブジェット方式のスプレーノズルと、このスプレーノズルに下処理剤を供給するコンプレッサと、スプレーノズルを開閉する電磁開閉弁とを備えたバルブジェット方式のインクジェットプリンタであることを特徴としている。
【０００６】
本発明では下処理用インクジェットプリンタとしてバルブジェット方式のインクジェットプリンタを用いている。下処理剤の塗布量は、一般的なインクジェットプリンタによるインク塗布量に比べてきわめて多い。通常のインクジェットプリンタを用いて下処理剤を塗布するためには同一領域に繰り返し下処理剤を吐出する必要があり、多大な時間を要し、実用化が困難である。バルブジェット方式のインクジェットプリンタを用いることにより、下処理剤の塗布工程を人手によらず自動化できる。
【０００７】
ここで、前記布製品の印刷領域を指定する印刷領域指定手段を設け、前記下処理用インクジェットプリンタによる下処理剤を、当該印刷領域にのみ塗布することが望ましい。
【０００８】
このようにすれば、下処理剤を無駄に消費することがなく、また、下処理剤による布地への影響も少なくて済む。
【０００９】
また、下処理剤が塗布された布製品の表面に白インクを塗布する白インク用インクジェットプリンタを有していることが望ましい。白インクを塗布して下地を白色にすることにより、布製品の地色に影響されずにカラー画像を印刷することができる。
【発明の効果】
【００１０】
本発明では、バルブジェット方式のインクジェットプリンタを用いて下処理剤を布製品の表面に塗布してカラー印刷用の下地処理を行うようにしている。したがって、手作業に頼ることなく、ティーシャツなどの布製品の表面に任意のカラー画像を効率良く印刷する印刷システムを実現できる。
【発明を実施するための最良の形態】
【００１１】
以下に、図面を参照して本発明を適用したティーシャツ印刷システムの実施の形態を説明する。
【００１２】
図１は本実施の形態に係るティーシャツ印刷システムを示す全体構成図である。ティーシャツ印刷システム１は搬送ユニット２を有し、この搬送ユニット２の前後方向に延びる搬送面３には、扁平な直方体形状をした刷台４を前後方向に搬送するための送り機構５が配置されている。搬送面３の上方には、その前側から後ろ側に向けて一定の間隔で、下処理用インクジェットプリンタ１０、白インク用インクジェットプリンタ２０およびカラーインクジェットプリンタ３０が配置されている。
【００１３】
下処理用インクジェットプリンタ１０は、刷台４の搬送方向に直交する方向にスプレーノズル１１を往復移動させ、当該スプレーノズル１１の直下を通過する刷台４に搭載されているティーシャツ６の表面における印刷領域６ａに下処理剤を塗布する。白インク用インクジェットプリンタ２０も、刷台４の搬送方向に直交する方向にインクジェットヘッド２１を往復移動させ、当該インクジェットヘッド２１の直下を通過する刷台４に搭載されているティーシャツ６の表面における印刷領域６ａに白インクを塗布する。カラーインクジェトプリンタ３０も、刷台４の搬送方向に直交する方向にインクジェットヘッド３１を往復移動させ、当該インクジェットヘッド３１の真下を通過する刷台４に搭載されているティーシャツ６の表面における印刷領域６ａにカラー画像を印刷する。
【００１４】
送り機構５、下処理用インクジェットプリンタ１０、白インク用インクジェットプリンタ２０およびカラーインクジェットプリンタ３０は、コンピュータを中心に構成した印刷制御装置４０によって駆動制御される。印刷制御装置４０は、カラーインクジェットプリンタ３０による印刷領域６ａを指定し、当該印刷領域６ａに下処理剤および白インクを塗布するように、下処理用インクジェットプリンタ１０および白インク用インクジェットプリンタ２０を駆動制御する。
【００１５】
図２は、下処理用インクジェットプリンタ１０として用いているバルブジェット方式のインクジェットプリンタを示す概念図である。下処理用インクジェットプリンタ１０は、印刷ヘッドとしてバルブジェット方式のスプレーノズル１１を備えており、このスプレーノズル１１がヘッドキャリッジ１２に搭載され、キャリッジモータ１３によって刷台４の搬送方向に直交する方向に沿って往復移動する。スプレーノズル１１には、下処理剤供給管１４を介して下処理剤タンク１５から下処理剤が供給される。下処理剤の供給はコンプレッサ１６によって行われる。また、スプレーノズル１１にはパルス駆動式の電磁開閉弁１７が取り付けられており、印刷制御装置４０の制御の下に、電磁開閉弁１７が開閉制御され、印刷領域６ａに下処理剤が塗布される。
【００１６】
本例の印刷システム１を用いて、ティーシャツ６に印刷を施す動作を説明する。まず、ティーシャツ６を刷台４に乗せ、その表面が平らになるように伸ばし、この状態で枠板４１を上から装着してティーシャツ６を伸ばした状態にセットする。
【００１７】
ティーシャツ６をセットした刷台４を送り機構５によって、下処理用インクジェットプリンタ１０の印刷位置を経由させて搬送する。下処理用インクジェットプリンタ１０の印刷位置を通過する際に、ティーシャツ６の表面における印刷領域６ａには下処理剤が塗布される。この後は、刷台４上のティーシャツ６は白インク用インクジェットプリンタ２０の印刷位置を経由して搬送され、下処理剤が塗布された印刷領域に白インクが塗布される。次に、刷台４上のティーシャツ６はカラーインクジェットプリンタ３０の印刷位置を経由して搬送され、印刷領域のカラー画像が印刷される。
【００１８】
印刷終了後は、ティーシャツ６を刷台４から外し、熱加工（熱プレスあるいは温風乾燥）して印刷面を定着させる。
【図面の簡単な説明】
【００１９】
【図１】本発明を適用した印刷システムの全体構成図である。
【図２】図１の下処理用インクジェットプリンタに用いるバルブジェット方式のインクジェットプリンタの模式図である。
【符号の説明】
【００２０】
１    印刷システム
２    搬送ユニット
３    搬送面
４    刷台
５    送り機構
６    ティーシャツ
６ａ  印刷領域
１０  下処理用インクジェットプリンタ
１１  スプレーノズル
２０  白インク用インクジェトプリンタ
２１  インクジェトヘッド
３０  カラーインクジェットプリンタ
３１  インクジェットヘッド
４０  印刷制御装置
４１  枠板
【図１】
2008279726.tif 000003
【図２】
2008279726.tif 000004